(57)【要約】【課題】  廃棄物の投入の際には容易に蓋体を開放でき、蓋体は容器本体に対して安定に取り付けられていて、容器が転倒した程度では蓋体が外れることがなく、廃棄物の飛び出しや散乱を生ずることがない医療廃棄物用処理容器を提供する。【解決手段】  本発明の医療廃棄物用処理容器は、医療廃棄物を内部に収容可能な容器本体１と、該容器本体１の開口部を塞ぐ蓋体２と、前記容器本体１を着脱自在に支持する支持部材３と、前記蓋体２に被着する蓋体カバー４とからなり、前記支持部材３には、前部に設けたペダル３２を踏み下げることにより、蓋体カバー４を上方へ持ち上げ、続いて回動させる動作機構Ａが設けられている。【選択図】      図１
2006151659.tif 000002
【特許請求の範囲】
【請求項１】
医療廃棄物を内部に収容可能な容器本体と、該容器本体の開口部を塞ぐ蓋体と、前記容器本体を着脱自在に支持する支持部材と、前記蓋体に被着する蓋体カバーとからなり、前記支持部材には、前部に設けたペダルを踏み下げることにより、蓋体カバーを上方へ持ち上げ、続いて回動させる動作機構が設けられていることを特徴とする医療廃棄物用処理容器。
【請求項２】
動作機構は、蓋体カバーが取り付けられる第一部材の下端にペダルの踏み下げにより押し上げられる縦杆の上端が枢着され、該第一部材に回動可能に連結された第二部材は、先端にそれ以上の上昇を制止する規制部が設けられた固定杆に遊嵌されていることを特徴とする請求項１に記載の医療廃棄物用処理容器。
【請求項３】
第二部材の遊嵌筒の上端と規制部との間には、バネ又はその他の緩衝機構が設けられていることを特徴とする請求項２に記載の医療廃棄物用処理容器。
【請求項４】
蓋体カバーには、蓋体の外側に係止する係止部が設けられ、容器本体の開口縁及び蓋体の周縁には、押圧して突き合わせることにより、一体的に嵌合する嵌合機構が設けられていることを特徴とする請求項１〜３の何れか一項に記載の医療廃棄物用処理容器。
【発明の詳細な説明】
【技術分野】
【０００１】
本発明は、廃棄物の投入の際には容易に蓋体を開放でき、蓋体は容器本体に対して安定に取り付けられていて、容器が転倒した程度では蓋体が外れることがなく、廃棄物の飛び出しや散乱を生ずることがない医療廃棄物用処理容器に関する。
【背景技術】
【０００２】
一般廃棄物と異なり、病院等の医療施設にて排出される医療廃棄物には、使用済みの注射針、脱脂綿、ガーゼ等があり、患者の血液や体液等に含まれる病原菌、或いは強力な薬理作用を有する医薬品等が存在するため、極めて危険である。
このような医療廃棄物は、蓋体が付属する合成樹脂製の容器内に収納、密閉された状態で業者に回収（収集）され、特別な処理施設にて焼却処理されることにより、病原菌や医薬品等の漏出、汚染が防止されている。
【０００３】
前記医療廃棄物を収納する容器としては、通常の容器よりも高い密封性が求められ、例えば特許文献１には、前方下端に足踏みペダルが取り付けられた装置が提案されている。
この装置は、医療廃棄物を投入しようとする際にペダルを踏み下げることにより、蓋体を開放する機構であって、通常時には蓋体は閉塞されているため、廃棄物からの悪臭等の放出を防止することができるという利点がある。
【特許文献１】特開平７−２５７７０４号公報
【発明の開示】
【発明が解決しようとする課題】
【０００４】
しかしながら、前記装置は、容器の開閉に際し、単にペダルの上下動の動きを蓋体を回動する動きに変更する単純なものであって、一般家庭（台所）用の生ゴミ捨てと殆ど同じ構造に過ぎなかった。即ち蓋体は容器本体の開口部に対し、冠着状に取り付けられるものに過ぎないので、容器の回収（収集）時などに転倒したり、或いは不慮の接触によって蓋体が外れて廃棄物の飛び出しや散乱を招くおそれがあった。
そこで、本発明は、上記従来の問題点を解消し、廃棄物の投入の際には容易に蓋体を開放でき、蓋体は容器本体に対して安定に取り付けられていて、容器が転倒した程度では蓋体が外れることがなく、廃棄物の飛び出しや散乱を生ずることがない医療廃棄物用処理容器を提供することを目的とする。
【課題を解決するための手段】
【０００５】
本発明は、上記に鑑み提案されたもので、請求項１に係る医療廃棄物用処理容器は、容器本体と、該容器本体の開口部を塞ぐ蓋体と、前記容器本体を着脱自在に支持する支持部材と、前記蓋体に被着する蓋体カバーを設けた蓋体カバーとからなり、前記支持部材には、前部に設けたペダルを踏み下げることにより、蓋体カバーを上方へ持ち上げ、続いて回動させる動作機構が設けられていることを特徴とする。
【０００６】
また、上記医療廃棄物用処理容器において、動作機構は、蓋体カバーが取り付けられる第一部材の下端にペダルの踏み下げにより押し上げられる縦杆の上端が枢着され、該第一部材に回動可能に連結された第二部材は、先端にそれ以上の上昇を制止する規制部が設けられた固定杆に遊嵌されていることが望ましい。加えて第二部材の遊嵌筒の上端と規制部との間には、バネ又はその他の緩衝機構が設けられていることが望ましい。
【０００７】
さらに、上記医療廃棄物用処理容器において、蓋体カバーには、蓋体の外側に係止する係止部が設けられ、容器本体の開口縁及び蓋体の周縁には、押圧して突き合わせることにより、一体的に嵌合する嵌合機構が設けられていることが望ましい。
【発明の効果】
【０００８】
本発明の請求項１に係る医療廃棄物用処理容器は、ペダルを踏み下げることで、蓋体を支持する蓋体カバーを上方へ持ち上げ、続いて回動させることにより、容器本体を開放（開蓋）することができるものであって、廃棄物を投入する際には、容易に蓋体を開放することができる。
そして、この医療廃棄物用処理容器の蓋体は、そのまま回動させようとしても回動できず、一度上方へ持ち上げた後に回動させなければ開放（開蓋）状態にできないので、容器本体の回収（収集）時などに転倒したり、或いは不慮の接触などがあっても、蓋体は容易には外れることがない。そのため、容器本体内に収納された廃棄物の飛び出しや散乱を生ずることがなく、病原菌や医療品による汚染の虞が殆ど無いものである。
【０００９】
また、動作機構は、蓋体カバーが取り付けられる第一部材の下端にペダルの踏み下げにより押し上げられる縦杆の上端が枢着され、該第一部材に回動可能に連結された第二部材は、先端にそれ以上の上昇を制止する規制部が設けられた固定杆に遊嵌されている場合には、本発明の医療廃棄物用処理容器において特徴的な蓋体の開閉動作を、簡易な構造にて実施できるものとなる。
加えて第二部材の遊嵌筒の上端と規制部との間には、バネ又はその他の緩衝機構が設けられている場合、蓋体の開閉動作、特に閉塞（閉蓋）動作が滑らかに実施できる。
【００１０】
さらに、蓋体カバーには、蓋体の外側に係止する係止部が設けられ、容器本体の開口縁及び蓋体の周縁には、押圧して突き合わせることにより、一体的に嵌合する嵌合機構が設けられている場合には、通常の蓋体の開閉動作に際しては蓋体カバーが蓋体に被着して支障なく支持でき、医療廃棄物を収納した後、蓋体カバーを上方から押圧するだけで、容器本体の開口縁に蓋体の周縁が嵌合して一体化すると共に、蓋体が蓋体カバーから離れる。そして、密封性を向上させた状態で、容器本体を回収（収集）することができ、新たな容器本体に交換することができる。
【発明を実施するための最良の形態】
【００１１】
本発明の医療廃棄物用処理容器は、医療廃棄物を内部に収容可能な容器本体と、該容器本体の開口部を塞ぐ蓋体と、前記容器本体を着脱自在に支持する支持部材と、前記蓋体に被着する蓋体カバーとからなる。
以下に、本発明の医療廃棄物用処理容器を構成する容器本体、蓋体、支持部材、蓋体カバーをその順に説明する。
【００１２】
本発明に適用される容器本体と蓋体は、特にその大きさや形状、材質を限定するものではなく、大きさ及び形状としては２０〜５０Ｌ程度の容量の筺状が好まれ、材質としては医療廃棄物と共に焼却処理することができ、密閉性及び強度特性、軽量性等に優れた発泡ポリプロピレン、発泡ポリスチレン等の熱可塑性樹脂が用いられることが多いが、これらに限定されるものではない。
【００１３】
また、容器本体と蓋体は、容器本体の開口縁に蓋体の周縁が嵌合する形状であって、嵌合状態から回動させようとしても回動できない嵌合深さを持ったものであれば、特にその形状は限定するものではない。例えば蓋体の全周縁に凹溝を周設し、この凹溝内に容器本体の開口縁が挿嵌される形状であれば、蓋体の凹溝及び容器本体の開口縁の深さ（高さ）は、嵌合状態から一度上方へ持ち上げないと回動できないようにする。
さらに、回収（収集）時における密封性を向上するために、容器本体の開口縁及び蓋体の周縁に、押圧して突き合わせることにより、一体的に嵌合する嵌合機構を設けることが望ましい。この嵌合機構としては、例えば後述する図示実施例に示すように、容器本体の開口縁に不可逆的に嵌合する嵌合係止部を蓋体の周縁に設ければよい。
【００１４】
支持部材は、前述のように前記容器本体を着脱自在に支持するものであって、前部にペダルが設けられ、このペダルを踏み下げることにより、後述する蓋体カバーを上方へ持ち上げ、続いて回動させる動作機構が設けられているものである。
この支持部材は、容器本体の底部形状に応じた支持枠部を有し、この支持枠部の前部下方にペダルが設けられ、このペダルと動作機構が連動するように横杆等で構成される連結機構にて連結されている。この動作機構としては、例えば後述する図示実施例に示すように、蓋体カバーに取り付けた第一部材の下端にペダルの踏み下げにより押し上げられる縦杆の上端が枢着され、この第一部材に回動可能に連結された第二部材を、先端にそれ以上の上昇を制止する規制部が設けられた固定杆に遊嵌されている機構を採用すれば、その他の構成は、特に限定するものではない。
また、その他の構成としては、例えば前記支持枠部の下端には脚部を適宜に設ければよいし、前記動作機構を安定に実施するために枠部を適宜に設ければよい。
【００１５】
蓋体カバーは、前述のように蓋体に被着する構成であって、蓋体を支持できる構成（係止爪など）及び強度を有していれば特にその詳細な内容を限定するものではない。
【００１６】
このような容器本体、蓋体、支持部材、蓋体カバーからなる本発明の医療廃棄物用処理容器は、ペダルを踏み下げることで、蓋体を支持する蓋体カバーを上方へ持ち上げ、続いて回動させることにより、容器本体を開放（開蓋）することができる。したがって、廃棄物を投入する際には、容易に蓋体を開放することができる。そして、容器本体の回収（収集）時などに転倒したり、或いは不慮の接触などがあっても、蓋体が容易には外れないため、容器内に収納された廃棄物の飛び出しや散乱を生ずることがない。
【実施例１】
【００１７】
以下、本発明の実施例を図面に基いて説明する。
図１は本発明の医療廃棄物用処理容器の一例の開蓋状態を示す斜視図であり、図２は図１の医療廃棄物用処理容器の閉蓋状態を示す側面図である。
【００１８】
容器本体１は発泡ポリプロピレン製の筺状であって、その開口縁１１は上端が外方へ反り返る形状とした。また、その側面には把持部１２を設けた。
蓋体２も上記容器本体１と同様に発泡ポリプロピレン製であって、その周縁には凹溝２１を周設した形状とした。この開口縁１１及び凹溝２１は、嵌合する形状であって、嵌合状態からそのまま回動できず、一度上方へ持ち上げないと回動できない深さ（高さ）を有するものである。
また、回収（収集）時における密封性を向上するために、容器本体１の開口縁１１及び蓋体２の周縁に、強く押圧した場合には一体的に嵌合して離反することがなく、軽く載置するように押圧した場合には軽い力で容易に離反できる嵌合機構を設けた。このような嵌合機構は具体的にその構造を限定するものではないが、図示実施例では、容器本体１（の開口サイズ）が上方に向かって大きく形成し、蓋体２の内周縁に形成した嵌合係止部２２は容器本体１の開口上端よりも僅かに大きな内周縁サイズとし、上方に向かって小さく形成した。そのため、容器本体１に対して蓋体２を軽く押圧して浅く嵌合させた場合には、容易に離反できるが、強く押圧するほど各部材１，２の弾性変形により深く一体的に嵌合する。或いは蓋体２の内周縁に形成した嵌合係止部２２の上端付近に内側へ突出する係止部を設け、強く押圧した際に容器本体１の開口上端がその係止部と係合しつつ嵌合するようにしてもよい。
【００１９】
支持部材３には、前記容器本体１を支持するフレームである支持枠部３１が設けられ、この支持枠部３１の前部下方にはペダル３２が設けられ、前方及び後方には脚部３３が設けられ、支持枠部３１を設置面から離反させている。
また、この支持部材３にはペダル３２の踏み下げにより、蓋体カバー４を上方へ持ち上げ、続いて回動させる動作機構Ａが設けられているが、図示実施例では以下に示す構造を採用した。
【００２０】
図２に示すように、ペダル３２には横杆３４が固定され、この横杆３４の長さの中間は支持枠部３１の底部の奥行きの中間から下向きに取り付けられた縦片３５の下端に枢着される。そのため、ペダル３２を踏み下げることにより、横杆３４の前端がペダル３２と共に下がり、縦片３５との枢着部分を支点として横杆３４の後端が押し上げられる。この横杆３４の後端は、支持枠部３１の背面側に位置する縦杆３６の下端に枢着され、さらにこの縦杆３６の上端は第一部材５に枢着されている。また、第一部材５には、第二部材６が回動可能に連結され、第二部材６は、先端にそれ以上の上昇を制止する規制部３８が設けられた固定杆３７に遊嵌されている。そのため、ペダル３２を踏み下げると、縦杆３６が上方へ押し上げられ、それと共に第一部材５も第二部材６も一体的に上方へ押し上げられる。
【００２１】
第一部材５及び第二部材６は、図３の斜視図に示すように、それぞれピース状の鋼片を適宜に折曲加工などして成形されたものである。
第一部材５は、前記縦杆３６の上端に枢着されるものであり、図示実施例では、蓋体２に被着する蓋体カバー４が取り付けられる上面部５１と、その左右を折り下げた上部接続片５２，５２と、前記上面部５１から垂下するように設けられる連結片５３とを有する構成である。そして、この第一部材５の連結片５３の下端が前記縦杆３６とボルト７１，ナット７２により枢着されている。
第二部材６は、上記第一部材５に回動可能に連結されるものであり、図示実施例では、その上面に遊嵌筒６１が設けられた下面部６２と、その左右を折り上げた下部接続片６３，６３とを有する構成である。この第二部材６の下部接続片６３，６３は、前記第一部材５の上部接続片５２，５２と接合された状態で、ボルト７３，７３によって回転可能に連結されている。そして、この第二部材６は、先端に規制部３８が設けられた固定杆３７に遊嵌されている。この固定杆３７は、縦杆３６のさらに背面側に位置して下端が支持枠部３１に固定されるものであって、それ自体の径は第二部材６の遊嵌筒６１に遊嵌されるものであるが、その先端には遊嵌筒６１の径よりも大きな径を有するナットが規制部３８として固定されている。
【００２２】
蓋体カバー４は、前記蓋体２に被着する構成であって、下面の前後に略Ｌ字状の止め板４１，４１が固定され、該止め板４１の下端には係止爪４１１が設けられ、該係止爪４１１により蓋体２を支持する構成とした。但し、この係止強度は、前記嵌合係止部２２の嵌合強度よりも低いものとした。
【００２３】
そして、ペダル３２を踏み下げる前は、図４，５に示すように第二部材６の遊嵌筒６１の上端と固定杆３７に設けた規制部３８との間には、空間が形成されている。図示実施例では、この空間に、図示しないがバネ又は油圧式等のその他の緩衝機構を設けるようにした。
ペダル３２を踏み下げると、前述のように横杆３４の前端がペダル３２と共に下がり、縦片３５との枢着部分を支点として横杆３４の後端が押し上げられ、この横杆３４に枢着された縦杆３６が上方へ押し上げられ、それに伴って第一部材５も第二部材６も、第一部材５に取り付けられる蓋体カバー４も一体的に上方へ押し上げられる。この動作は、図６に示すように第二部材６の遊嵌筒６１の上端と固定杆３７に設けた規制部３８とが当接するまで行われる。
さらに、ペダル３２を踏み下げると、図７に示すように、第二部材６は規制部３８によってそれ以上の上昇が制止されるが、縦杆３６の押し上げは継続されるので、第一部材５は第二部材６との連結部分（ボルト７３）を軸として回動し、それに伴って蓋体カバー４も回動して開蓋状態とすることができる。
【００２４】
開蓋状態から閉蓋状態とするには、ペダル３２の踏み下げを解除すればよく、その際の動作は、前述の動作が逆から順に行われることとなる。
【００２５】
このように構成される本発明の医療廃棄物用処理容器は、ペダル３２を踏み下げることで、蓋体２を支持する蓋体カバー４を上方へ持ち上げ、続いて回動させることにより、容器本体１を開放（開蓋）することができる。そのため、廃棄物を投入する際には、容易に蓋体２を開放することができ、容器本体１の回収（収集）時などに転倒したり、或いは不慮の接触などがあっても、蓋体２が容易には外れないため、容器本体１内に収納された廃棄物の飛び出しや散乱を生ずることがない。
【００２６】
また、図示実施例では、第二部材６の遊嵌筒６１の上端と規制部３８との間には、バネ又は油圧式の緩衝機構を設けたので、ペダル３２を急に踏み下げても、或いは急に踏み下げたペダル３２を離しても、閉塞（閉蓋）動作に際して動作を滑らかに実施できる。
加えて第二部材の遊嵌筒の上端と規制部との間には、バネ又はその他の緩衝機構が設けられている場合、蓋体の開閉動作、特に閉塞（閉蓋）動作が滑らかに実施できる。
【００２７】
さらに、図示実施例の蓋体カバー４には、係止爪４１１が設けられ、通常の開閉操作に際しては、蓋体２を安定に支持する構成であるが、容器本体１に十分な廃棄物を詰め込んだ後には、蓋体カバー４を押圧することにより、蓋体２の嵌合係止部２２が容器本体１に不可逆的に一体的に嵌合するため、蓋体２が蓋体カバー４から離れ、密封性を向上させた状態で、閉蓋状態の容器本体１を回収（収集）することができる。そして、新たな容器本体１に交換することができる。
【００２８】
以上、本発明の実施例を図により説明したが、本発明の構成は図示の実施例に限定されるものではなく、本発明の要旨を逸脱しない範囲の設計変更は本発明に含まれる。
【産業上の利用可能性】
【００２９】
病院等の医療施設における医療廃棄物用処理容器として好適に用いることができる。
【図面の簡単な説明】
【００３０】
【図１】本発明の医療廃棄物用処理容器の一実施例の開蓋状態を示す斜視図である。
【図２】図１の医療廃棄物処理容器の開蓋状態を示す側面図である。
【図３】図１の医療廃棄物処理容器における特徴的な蓋体の開閉動作を実施する第一部材及び第二部材を示す拡大分解斜視図である。
【図４】図１の医療廃棄物処理容器においてペダル踏み下げ前の要部の状態を示す側断面図である。
【図５】図５の要部を正面から見た断面図である。
【図６】図１の医療廃棄物処理容器においてペダル踏み下げ時の要部の状態を示す側断面図である。
【図７】図６の状態からさらにペダルを踏み下げた時の要部の状態を示す側断面図である。
【符号の説明】
【００３１】
Ａ  動作機構
１  容器本体
１１  開口縁
２  蓋体
２１  凹溝
３  支持部材
３１  支持枠部
３２  ペダル
３３  脚部
３４  横杆
３５  縦片
３６  縦杆
３７  固定杆
３８  規制部
４  蓋体カバー
４１  止め板
５  第一部材
５３  連結片
６  第二部材
６１  遊嵌筒
【図１】
2006151659.tif 000003
【図２】
2006151659.tif 000004
【図３】
2006151659.tif 000005
【図４】
2006151659.tif 000006
【図５】
2006151659.tif 000007
【図６】
2006151659.tif 000008
【図７】
2006151659.tif 000009